(57)【要約】【課題】瓦屋根の形状に応じて、柔軟且つ確実に固定することができる足場取付金具を提供することを目的とする。【解決手段】  野地板１０に固着する固着部２と、該固着部２に連なって設けられ、瓦１２の尻側端部１２ａに掛止される掛止部３と、該掛止部３の先端から軒側方向へ延びる連結部４と、該連結部４の先端に設けられ、軒側の屋根葺材上にある足場材１４を支持する連結部材９又は前記屋根葺材上の作業者が装着する安全帯１５が取り付けられる取付部５と、を備えることを特徴とする屋根用安全金具１。【選択図】図４
2011058254.tif 000002
【特許請求の範囲】
【請求項１】
野地板に固着する固着部と、
該固着部に連なって設けられ、瓦の尻側端部に掛止される掛止部と、
該掛止部の先端から軒側方向へ延びる連結部と、
該連結部の先端に設けられ、軒側の屋根葺材上にある足場材を支持する連結部材又は前記屋根葺材上の作業者が装着する安全帯が取り付けられる取付部と、を備えることを特徴とする屋根用安全金具。
【請求項２】
前記固着部、掛止部、連結部、及び取付部は、金属板が一体成形されてなることを特徴とする請求項１記載の屋根用安全金具。
【請求項３】
前記連結部は、軒側方向の先端側が所定角度立ち上がるように上向きに折り曲げられて形成されることを特徴とする請求項１又は２記載の屋根用安全金具。
【請求項４】
前記連結部の後端部は、前記瓦の尻側端部の水切部に沿うように上方へ突出して形成されていることを特徴とする請求項１乃至３のいずれかに記載の屋根用安全金具。
【請求項５】
前記取付部に係止部材を取り付けて、該係止部材に前記連結部材又は前記安全帯を係止することを特徴とする請求項１乃至４の何れかに記載の屋根用安全金具。
【請求項６】
前記係止部材は、前記連結部材又は前記安全帯を係止するための係止部と、該係止部を前記取付部に着脱自在に固定する固定部とからなることを特徴とする請求項５記載の屋根用安全金具。
【請求項７】
前記取付部に雪止め板が、前記屋根葺材の上面に対してほぼ垂直方向に取り付けられることを特徴とする請求項１乃至６のいずれかに記載の屋根用安全金具。
【発明の詳細な説明】
【技術分野】
【０００１】
本発明は、瓦屋根上で作業を行う際に使用される足場材又は安全帯を取り付けるための屋根用安全金具に関する。
【背景技術】
【０００２】
瓦屋根のメンテナンスやアンテナ等の部材を取り付けるために、作業者は瓦屋根の上へと資材等を運んで作業を行う場合がある。この際、作業者は瓦屋根上で、これらの作業を行うことになるため、瓦屋根の傾斜面から足を滑らせて転倒したり、作業用の資材が瓦屋根から滑り落ちてしまうというような危険性がある。
【０００３】
そのため、幅広い板材からなる足場材を瓦屋根上に水平方向になるように取り付けたり、作業者に安全帯を装着させたりすることにより、作業者の安全性等を確保するようにしている。従来、足場材を瓦屋根上に取り付けるために、図１２に示すような屋根用スベリ止金具１００等が使用されている（例えば、特許文献１参照）。
【０００４】
この屋根用スベリ止金具１００は、瓦の上面に当接する細長い当板１０１の上縁に瓦の上端面に係止される係止片１０２を折曲状態で連設し、前記当板１０１の下端寄りにチェーン取付部１０３を形成し、このチェーン取付部１０３にチェーン１０４の上端を止着し、このチェーン１０４の下端にフック１０５を付設したものである。瓦屋根上に足場材を取り付ける際には、２つの屋根用スベリ止金具１００を水平方向に所定間隔空けて配置し、チェーン１０４を折り返し、下端のフック１０５をチェーン１０４の中間部へと引掛けることにより輪を形成し、この夫々の輪の中に足場材を挿通して係止する。これにより、瓦屋根上に足場が設けられることになるので、作業者はこの足場を利用して瓦屋根上で作業を行うことができる。
【先行技術文献】
【特許文献】
【０００５】
【特許文献１】特開平０８−０３５３０２号公報
【発明の開示】
【発明が解決しようとする課題】
【０００６】
しかしながら、図１１に示すような屋根用スベリ止金具１００では、係止片１０２を単に瓦の上端面に引掛けることにより係止しているだけであるため、振動等により係止位置が左右にずれたり、場合によっては、係止状態が解除されてしまう可能性もある。
【０００７】
本発明は、上記のような課題に鑑みてなされたものであって、瓦屋根の形状に応じて、柔軟且つ確実に固定することができる屋根用安全金具を提供することを目的とする。また、使用環境に応じて、更に雪止め板を取り付けることができる屋根用安全金具を提供することを目的とする。
【課題を解決するための手段】
【０００８】
上記目的を達成するために、請求項１記載の屋根用安全金具は、野地板に固着する固着部と、該固着部に連なって設けられ、瓦の尻側端部に掛止される掛止部と、該掛止部の先端から軒側方向へ延びる連結部と、該連結部の先端に設けられ、軒側の屋根葺材上にある足場材を支持する連結部材又は前記屋根葺材上の作業者が装着する安全帯が取り付けられる取付部と、を備えることを特徴としている。屋根葺材とは、野地板の上部に覆いとして取り付ける仕上材であり、瓦、コンクリート瓦、カラーベスト等を含むものである。
【０００９】
請求項２記載の屋根用安全金具は、前記固着部、掛止部、連結部、及び取付部が、金属板が一体成形されてなることを特徴としている。
【００１０】
請求項３記載の屋根用安全金具は、前記連結部が、軒側方向の先端側が所定角度立ち上がるように上向きに折り曲げられて形成されることを特徴としている。
【００１１】
請求項４記載の屋根用安全金具は、前記連結部の後端部が、前記瓦の尻側端部の水切部に沿うように上方へ突出して形成されていることを特徴としている。
【００１２】
請求項５記載の屋根用安全金具は、前記取付部に係止部材を取り付けて、該係止部材に前記連結部材又は前記安全帯を係止することを特徴としている。
【００１３】
請求項６記載の屋根用安全金具は、前記係止部材が、前記連結部材又は前記安全帯を係止するための係止部と、該係止部を前記取付部に着脱自在に固定する固定部とからなることを特徴としている。
【００１４】
請求項７記載の屋根用安全金具は、前記取付部に雪止め板が、前記屋根葺材の上面に対してほぼ垂直方向に取り付けられることを特徴としている。
【発明の効果】
【００１５】
請求項１記載の屋根用安全金具によれば、掛止部を瓦の尻側端部に掛止させた状態で、固着部を野地板に固定するので、容易に屋根用安全金具を正確な位置へ確実に固定することができる。固着部には、例えば、ビス孔が形成されており、この固着部を野地板に当接させた状態で、前記ビス孔にビスを挿通させて、野地板にビス止めすることにより屋根用安全金具を固定する。そのため、振動等によって屋根用安全金具の取り付け位置がずれることがなく、また、掛止された状態が解除されるのを確実に防止することができる。
【００１６】
請求項２記載の屋根用安全金具によれば、固着部、掛止部、連結部、及び取付部は、金属板が一体形成されて構成されるので、部品点数を削減し、製造コストを軽減させることができる。また、これらの部分は折り曲げ加工により形成されるので、容易に製造することができる。
【００１７】
請求項３記載の屋根用安全金具によれば、掛止部の先端から軒側方向へ延びる連結部の先端側は、屋根の形状に応じて、所定角度立ち上がるように折り曲げて形成されるので、様々な形状の屋根に柔軟に屋根用安全金具を取り付けることができる。
【００１８】
請求項４記載の屋根用安全金具によれば掛止部の先端から軒側方向へ延びる連結部の後端部は、瓦の水切部に沿うように上方へ突出して形成されているので、瓦の尻側端部の形状に応じて確実に掛止させることができる。
【００１９】
請求項５及び６記載の屋根用安全金具によれば、軒側にある足場材を固定する連結部材又は安全帯を係止する係止部材が破損したような場合でも瓦を取り外すことなく、係止部材のみを直接交換することができるので、メンテナンスが容易である。
【００２０】
請求項７記載の屋根用安全金具によれば、雪止め板が屋根葺材の上面に対してほぼ垂直方向に取り付けられるので、屋根の上の積雪が滑落するのを防止することができる。また、掛止部が瓦の尻側端部に掛止された状態で野地板に固着部が固着されるので、屋根用安全金具は外れることがなく、耐久性にも優れている。
【図面の簡単な説明】
【００２１】
【図１】本発明に係る屋根用安全金具の一例を示す概略斜視図である。
【図２】図１におけるＡ−Ａ線断面図である。
【図３】図１における屋根用安全金具の概略側面図である。
【図４】本発明に係る屋根用安全金具の取り付け状態を示す概略断面図である。
【図５】図１における屋根用安全金具の掛止部の他の形状を示す概略側面図である。
【図６】本発明に係る屋根用安全金具に足場材を取り付けた際の様子を示す概略斜視図である。
【図７】本発明に係る屋根用安全金具に安全帯を取り付けた際の様子を示す概略斜視図である。
【図８】本発明に係る屋根用安全金具の他の一例を示す概略側面図である。
【図９】図１における屋根用安全金具の係止部材の他の形状を示す概略側面図である。
【図１０】雪止め板を取り外した場合の屋根用安全金具を示す概略側面図である
【図１１】本発明に係る屋根用安全金具の更に他の一例を示す該略側面図である。
【図１２】従来技術の斜視図である。
【発明を実施するための形態】
【００２２】
以下に本発明に係る屋根用安全金具について、各図面を用いて説明する。本発明に係る屋根用安全金具１は、屋根上での作業用の足場材や作業者が装着する安全帯を取り付ける際に使用されるものであって、図１〜３に示すように、固着部２と、該固着部２の前方に連なって設けられる掛止部３と、該掛止部３の先端から前方へ延びる長尺な板状の連結部４と、該連結部４の先端から立ち上がるようにして設けられる取付部５と、ナット６により取付部５に取り付けられるアイボルト（係止部材）７と、取付部５にアイボルト７及びナット６により取り付け固定される雪止め板８とを備えている。固着部２、掛止部３、連結部４、及び取付部５は、長尺な板状の金属板が折り曲げ加工されることにより、一体成形されてなるものである。また、瓦等の屋根葺材上に足場材を設ける場合には、アイボルト７にワイヤ等の連結部材９が係止される。
【００２３】
図３，４に示すように、掛止部３は、野地板１０上に水平方向に延びるように配設された瓦桟木１１に引掛けられた状態で設けられている瓦１２の尻側端部１２ａに引掛けることにより掛止される。この掛止部３の下端から後方には、図３に示すように、板状の固着部２が連なって設けられている。この固着部２には、ビスを挿通可能なビス孔２１が形成されている。図４に示すように、固着部２は、掛止部３が瓦１２の尻側端部１２ａに掛止された状態で、野地板１０の上面に当接する。この当接した状態で、ビス孔２１にビス１３が挿通されてビス止めされることにより固着部２は、野地板１０に固着される。
【００２４】
掛止部３の前方にあたる軒側方向には、長尺な板状の連結部４が連なって設けられている。この連結部４の先端側には、所定角度立ちが上がるように折り曲げられた折り曲げ部４１が形成されている。この折り曲げ部４１の折り曲げ角度は、瓦等の屋根葺材の形状や傾斜角度に合わせて決定される。従って、この折り曲げ角度を調節することにより、様々な屋根の形状や傾斜角度に対応して取り付けることができる。また、折り曲げ部４１には、連結部４の長尺方向に平行するように凸部が形成されており、この折り曲げ部４１の強度を高めている。また、連結部４の後端部４２は、瓦１２の尻側端部１２ａに形成される水切部１２ｂの形状に沿うように上方へ突出して形成されている。尚、尻側端部１２ａに水切部１２ｂが形成されていない瓦１２等の場合には、図５に示すように、連結部４の後端部４２が、折り曲げ形成されることなく、真っ直ぐに形成されてなるものが用いられる。
【００２５】
連結部４の先端には、図２，３に示すように、薄板状の取付部５が立ち上がるようにして設けられている。この取付部５の略中央部には、アイボルト７のネジ部（固定部）７２を挿通可能なボルト孔が形成されており、ネジ部７２をこのボルト孔に挿通させた状態で、ナット６を用いて締結させることにより、取付部５にアイボルト７が固定される。
【００２６】
アイボルト７は、リング状のリング部（係止部）７１と、雄ネジが切られているネジ部７２とからなるものである。このアイボルト７は、金属製のものであり、リング部７１には、足場材を支持するワイヤ等の連結部材９が係止される。図３では、リング部７１が縦向きになった状態で取付部５に取り付けられているが、ネジ部７２とナット６の締結を緩めてアイボルト７を回転させることにより、瓦屋根の形状等に応じて、リング７１の向きを容易に調整することができる。
【００２７】
また、取付部５の前面には、アイボルト７及びナット６により瓦１２の上面に積もった雪が滑落するのを防止するための雪止め板８が取り付けられている。この雪止め板８は、図２に示すように、略山型状に形成された板材からなるものであり、強度を向上させるために、その外周部８１は折り曲げ加工されている。また、この雪止め板８が瓦１２の上面に載置された状態で、瓦１２の上面を流れる雨水や雪解け水を排水できるように、下端部中央には凹部８２が形成されている。本実施形態では、凹部８２は、滑らかな山型状に形成されているが、このような形状に限定されるものではなく、瓦１２の上面の形状に合わせて適宜変更させることも可能である。
【００２８】
また、雪止め板８の略中央部にはアイボルト７のネジ部７２が挿通可能な挿通孔が形成されている。雪止め板８を取付部５に取り付ける際には、図２，３に示すように、雪止め板８の裏面８３を取付部５の前面に当接させ、雪止め板８の挿通孔及び取付部５の略中央部に形成されるボルト孔を合わせた状態で、アイボルト７のネジ部７２をそれぞれに挿通させて、ナット６により固定する。このようにして取付部５に雪止め板８は、瓦１２の上面に対してほぼ垂直方向に取り付けられることになるので、その裏面８３が瓦屋根上の積雪を受け止めることになり、積雪の滑落を防止することができる。
【００２９】
以下では、図４，６を用いて、本発明に係る屋根用安全金具１を使用した足場材１４の取り付け方について説明する。
【００３０】
まず、屋根用安全金具１を野地板１０の上面に配設される瓦桟木１１に引掛けられて設けられている瓦１２の尻側端部１２ａに掛止部３を掛止させた状態で、固着部２を野地板１０にビス止めすることにより取り付ける。この屋根用安全金具１の取り付けを図５に示すように、瓦１２の数枚毎に行う。瓦桟木１１は、野地板１０上の水平方向に平行して複数本設けられているので、同一の瓦桟木１１に引掛けられる瓦１２の尻側端部１２ａにそれぞれの屋根用安全金具１の掛止部３を掛止させることにより、容易に複数の屋根用安全金具１を平行に取り付けることができる。また、その状態で、固着部２をビス止めするので、振動等によって屋根用安全金具１の取り付け位置がずれることがなく、また、掛止部３の掛止状態が解除されるのを確実に防止することができる。図６では、瓦１２の４枚毎に屋根用安全金具１を設けるようにしているが、この間隔は足場材１４の長さ等に応じて適宜変更されるものである。
【００３１】
このようにして瓦屋根上の水平方向に所定間隔おいて平行に複数配置された屋根用安全金具１の軒側先端には、図６に示すように、アイボルト７のリング部７１が位置することになる。このリング部７１に長尺なワイヤ（連結部材）９を通して、該ワイヤ９の両端部を連結させることにより輪を形成する。
【００３２】
そして、幅広い板材からなる足場材１４の長尺方向が軒と平行になるようにワイヤ９により形成される輪の中を挿通させることにより、足場材１４を取り付け固定する。このようにして取り付けられた足場材１４は、瓦屋根上に安定的に敷設されるので、この足場材１４を利用することにより、瓦屋根上で作業を行う作業者の安全性を確保することができる。また、屋根用安全金具１を取り付けることにより、瓦１２の上面に対してほぼ垂直方向に立ち上がるようにして雪止め板８が複数配置されるので、瓦屋根上の積雪の滑落も有効に防止することができる。尚、足場材１４の大きさや取付位置に合わせて、使用するワイヤ９の長さ等を調整することにより形成される輪の大きさは適宜調整される。また、足場材１４にワイヤ９を連結させることが可能なリング部材等が備えられている場合には、ワイヤ９で輪を形成しなくても、ワイヤ９の一端をリング部材に連結させ、ワイヤ９の他端をアイボルト７のリング部７ａに連結させることにより足場材１４を支持することができる。
【００３３】
図６では、３つの屋根用安全金具１を使用した例を示しているが、少なくとも２つ以上使用することにより足場材１４を取り付けることは可能である。また、連結部材は、ワイヤ９以外にも頑丈なロープやチェーン等、アイボルト７のリング部７１に連結させることが可能な部材であれば適宜使用することができる。
【００３４】
また、ワイヤ９を用いて足場材１４を瓦屋根上に設ける代わりに、図７に示すように、作業者に安全帯１５を装着させて、その安全帯１５を直接アイボルト７のリング部７１に連結させることもできる。安全帯１５は、作業者に装着される胴ベルト１６にロープ１７が連結され、該ロープ１７の先端にリング部７１と連結可能なフック１８が備えられるものである。このように、作業者に安全帯１５を装着させた状態で、安全帯１５を屋根用安全金具１に連結させることにより、作業者は、屋根上で安全に作業を行うことができる。
【００３５】
本実施形態では、図３に示すように、瓦１２の形状や傾斜角度に合わせて、連結部４の先端側を所定角度立ち上がるように折り曲げて折り曲げ部４１を形成した例を示しているが、上面がフラットな平板瓦等を使用する場合には、図８に示す屋根用安全金具１ａのように、折り曲げ部４１を形成せずに連結部４を真っ直ぐにした状態で、連結部４の先端に取付部５を設けるように構成することもできる。
【００３６】
また、足場材１４を支持するためのワイヤ９等を係止する係止部材としては、アイボルト７以外にも、図９の（ａ）に示すような先端部がＴ字状に形成された係止部７１ａと、ネジ部７２ａからなる係止部材７ａや図９の（ｂ）に示すような先端がフック状に形成された係止部７１ｂと、ネジ部７２ｂからなる係止部材７ｂ等を用いることができる。
【００３７】
また、本実施形態では、雪止め板８を取付部５に取り付けた例を示しているが、図１０に示すように、雪止め板８を取り外して取付部５に直接アイボルト７をナット６により取り付けるように構成することも可能である。このように、本発明に係る屋根用安全金具１では、アイボルト７とナット６の螺合状態を解除することにより、容易に雪止め板８を取り外すことができるので、雪止め板８を交換する場合や雪止め板８が必要のない場合等、使用環境等に応じて柔軟に利用することができる。
【００３８】
また、取付部５にアイボルト７等の係止部材を取り付ける代わりに、図１１の（ａ）に示す屋根用安全金具１ｂのように、連結部４の先端に係止孔５１ａが形成された取付部５１や図１１の（ｂ）に示す屋根用安全金具１ｃのように、フック状に形成された取付部５２等を設けるようにしても良い。図１１の（ａ）の場合には、係止孔５１ａにワイヤ９や安全帯１５のフック１８が通されて連結され、図１１の（ｂ）の場合には、フック状の取付部５２にワイヤ９や安全帯１５のフック１８が引っ掛けられた状態で連結される。
【産業上の利用可能性】
【００３９】
本発明に係る屋根用安全金具１は、瓦屋根上で作業を行う際に使用される足場材を取り付けるための工具として有効に利用することができる。
【符号の説明】
【００４０】
１、１ａ、１ｂ、１ｃ    屋根用安全金具
２                      固着部
３                      掛止部
４                      連結部
４２                    後端部
５、５１、５２          取付部
６                      ナット
７                      アイボルト（係止部材）
７ａ、７ｂ              係止部材
７１                    リング部（係止部）
７１ａ、７１ｂ          係止部
７２、７２ａ、７２ｂ    ネジ部（固定部）
８                      雪止板
９                      ワイヤ（連結部材）
１０                    野地板
１２                    瓦
１２ａ                  尻側端部
１２ｂ                  水切部
１４                    足場材
１５                    安全帯
【図１】
2011058254.tif 000003
【図２】
2011058254.tif 000004
【図３】
2011058254.tif 000005
【図４】
2011058254.tif 000006
【図５】
2011058254.tif 000007
【図６】
2011058254.tif 000008
【図７】
2011058254.tif 000009
【図８】
2011058254.tif 000010
【図９】
2011058254.tif 000011
【図１０】
2011058254.tif 000012
【図１１】
2011058254.tif 000013
【図１２】
2011058254.tif 000014